(57)【特許請求の範囲】
【請求項１】
水平方向に配向されたＸ電極群を有する第１透明電極基板と、垂直方向に配向されたＹ電極群を有する第２透明電極基板とを含み、水平方向および垂直方向のいずれにおいても同列でない異なる位置に配置されている少なくとも２つの表示部を備えているドットマトリクス表示型の液晶表示パネルにおいて、
上記Ｘ電極群と上記Ｙ電極群の少なくとも一方の電極群には、電極の一部分に他方の電極群と平行に延在するとともに、上記他方の電極群と対向してライン表示部を形成する引き回し配線部を有するクランク形状の電極が含まれており、
上記クランク形状の電極が上記各表示部に共通な電極として上記各表示部の間に配置されていることを特徴とする液晶表示パネル。
【請求項２】
上記引き回し配線部にブラックマスクを設けることを特徴とする請求項１に記載の液晶表示パネル。
【発明の詳細な説明】
【０００１】
【発明の属する技術分野】
本発明はドットマトリクス表示型の液晶表示パネルに関し、さらに詳しく言えば、一つの表示画面内に複数の表示部が設けられる場合の電極パターンに関するものである。
【０００２】
【従来の技術】
通常、液晶表示パネルの表示画面は矩形状であり、ドットマトリクス表示型の場合、その表示画面のほぼ全面にわたって、例えばＩＴＯ（Ｉｎｄｉｕｍ  Ｔｉｎ  Ｏｘｉｄｅ）よりなる透明電極をそれぞれストライプ状パターンに形成してなるＸ電極群とＹ電極群とが設けられている。
【０００３】
したがって、ドットマトリクス表示型の場合、そのＸ電極群とＹ電極群とに対する印加電圧を制御することにより、ドットの集合体として種々の表示パターンを得ることができる。また、一つの表示画面を複数の表示部に分割することも可能である。
【０００４】
【発明が解決しようとする課題】
しかしながら、液晶表示パネルの表示画面が矩形ではなく、例えば図６のような異形とされる場合には次のような課題が生ずる。図６は液晶表示パネルの設置個所との関係から、矩形の対向する２つの角部分が切り落とされた例である。
【０００５】
このように、対向する２つの角部分が切り落とされたとしても、この液晶表示パネル１には、矩形の場合と同様に、一方の透明電極基板には水平方向に沿ってＸ電極群２が形成され、他方の透明電極基板には垂直方向に沿ってＹ電極群３が形成される。
【０００６】
ところで、表示画面上に例えば２つの表示部が設定されるとして、その各表示部が水平もしくは垂直方向のいずれか一方に沿って同列に並置されている場合には、Ｘ電極群２もしくはＹ電極群３のいずれか一方をその２つの表示部に共用させることができる。
【０００７】
しかしながら、図６に示されているように、例えば液晶表示パネル１の外形との関係から２つの表示部Ａ，Ｂが水平方向および垂直方向のいずれにおいても同列でない異なる位置に配置される場合、表示部Ａ，Ｂに対してＸ電極群２およびＹ電極群３のいずれも共用することができない。
【０００８】
このことは、表示画面の面積が減らされているにも拘わらず、用いられる電極の本数に変わりはないことを意味しており、パターン設計上の矛盾点でもある。これは図６の例に限られたことではなく、仮に表示画面が矩形であるにしても、２つの表示部Ａ，Ｂが図６に例示されているように、対角的にずらされている場合おいても同様である。
【０００９】
要するに、より少ない本数の電極で、いかに多くの情報量を点灯表示できるかが、技術的課題として提起されていた。
【００１０】
【課題を解決するための手段】
本発明は、このような課題を解決するためになされたもので、その目的は、ドットマトリクス表示型の液晶表示パネルにおいて、その表示画面内に複数の表示部を有し、特にその各表示部が対角的にずらされている場合、Ｘ電極群もしくはＹ電極群のいずれか一方をその各表示部に対して共用できるようにした液晶表示パネルを提供することにある。
【００１１】
上記目的を達成するため、本発明は、水平方向に配向されたＸ電極群を有する第１透明電極基板と、垂直方向に配向されたＹ電極群を有する第２透明電極基板とを含み、水平方向および垂直方向のいずれにおいても同列でない異なる位置に配置されている少なくとも２つの表示部を備えているドットマトリクス表示型の液晶表示パネルにおいて、上記Ｘ電極群と上記Ｙ電極群の少なくとも一方の電極群には、電極の一部分に他方の電極群と平行に延在するとともに、上記他方の電極群と対向してライン表示部を形成する引き回し配線部を有するクランク形状の電極が含まれており、上記クランク形状の電極が上記各表示部に共通な電極として上記各表示部の間に配置されていることを特徴としている。
【００１３】
なお、本発明において、上記引き回し配線部は対向電極とほぼ平行であるため、その部分はドット表示ではなく、連続したライン表示となる。したがって、厳密に言えば表示画面全体がフルドット表示ではないが、そのライン表示部分を有効に利用して、独特の表示態様を得ることも可能である。ライン表示部分が不要である場合には、例えばブラックマスクなどにより、その部分を非表示部とすればよい。
【００１４】
【発明の実施の形態】
次に、本発明の構成を図面に示されている実施例により具体的に説明する。
【００１５】
図１には、この実施例に係る液晶表示パネル１０が、先に説明した図６の従来例と同じく、対向する２つの角部分、すなわち右上角部分と左下角部分とが切り落とされた異形の液晶表示パネルとして示されている。
【００１６】
このような形状的な制約から、この実施例においては、液晶表示パネル１０の左上角部分側が第１表示部Ａとされ、液晶表示パネル１０の右下角部分側が第２表示部Ｂとされている。すなわち、表示部Ａ，Ｂは、水平方向および垂直方向のいずれにおいても同列でない異なる位置に配置されている。
【００１７】
図２の模式的な断面図に示されているように、この液晶表示パネル１０は、周辺シール材１１を介して圧着された一対の透明電極基板１２，１３を備えており、その一方の透明電極基板１２側には、図１に示されているように、水平方向に沿ってストライプ状に形成された多数のＩＴＯ電極を含むＸ電極群２０が設けられている。この実施例において、Ｘ電極群２０は第１表示部Ａの図１における上辺部分Ａｕから第２表示部Ｂの下辺部分Ｂｌとの間の全範囲にわたって設けられている。
【００１８】
また、他方の透明電極基板１３側には、垂直方向に沿ってストライプ状に形成された多数のＩＴＯ電極を含むＹ電極群３０が設けられているが、この場合、Ｙ電極群３０は第１表示部Ａと第２表示部Ｂとにかけて共通に配線されている。すなわち、Ｙ電極群３０は、第１表示部Ａと第２表示部Ｂとの間の領域において、対向電極であるＸ電極群２０と平行に延在する引き回し配線部を有するクランク状に形成されている。
【００１９】
この引き回し配線部の構成を図３ないし図５により説明する。なお、図３には作図スペースの都合上、Ｙ電極群３０内の４本のＹ電極３１〜３４のみが示されている。図４はその対向電極として、Ｘ電極群２０内から抽出された５本のＸ電極２１〜２５を示した図であり、図５は両電極２１〜２５，３１〜３４を重ね合わせた状態の合成図である。
【００２０】
第１表示部Ａと第２表示部Ｂとの間の領域において、各Ｙ電極３１〜３４は、第１表示部Ａ内から垂直方向に沿って引き出された第１電極部分３１ａ〜３４ａと、同第１電極部分３１ａ〜３４ａの各端部から対向電極であるＸ電極と平行に延びる引き回し配線部３１ｃ〜３４ｃと、同引き回し配線部３１ｃ〜３４ｃの各端部から垂直方向に沿って第２表示部Ｂ内に向かう第２電極部分３１ｂ〜３４ｂとを備えている。
【００２１】
すなわち、Ｙ電極３１を代表として説明すると、各Ｙ電極は、第１電極部分３１ａ、引き回し配線部３１ｃおよび第２電極部分３１ｂからなるクランク形状に形成されており、第１電極部分３１ａおよび第２電極部分３１ｂは、それぞれ第１表示部Ａと第２表示部Ｂ内に至り、対向するＸ電極とドット表示のための画素を形成する。
【００２２】
この実施例において、Ｙ電極３１の引き回し配線部３１ｃとＸ電極２１とが対向し、これによりライン表示部Ｌ１が形成される（図５参照）。同様に、Ｙ電極３２の引き回し配線部３２ｃとＸ電極２２とが対向してライン表示部Ｌ２が、Ｙ電極３３の引き回し配線部３３ｃとＸ電極２４とが対向してライン表示部Ｌ３が、また、Ｙ電極３４の引き回し配線部３４ｃとＸ電極２５とが対向してライン表示部Ｌ４がそれぞれ形成される。
【００２３】
この場合、Ｙ電極３２の引き回し配線部３２ｃとＹ電極３３の引き回し配線部３３ｃとの間には、一つのＸ電極ピッチ分のスペースＳが設けられており、したがって、Ｘ電極２３に対向するＹ電極側の引き回し配線部がなく、スペースＳの部分は不灯部となっている。
【００２４】
また、Ｘ電極２１が第２電極部分３２ｂ〜３４ｂとクロスすることにより、図５において、ライン表示部Ｌ１の右側に３つのドット表示部Ｄ１〜Ｄ３が形成される。同様に、Ｘ電極２２が第１電極部分３１ａおよび第２電極部分３３ｃ，３４ｃとクロスすることにより、ライン表示部Ｌ２の左側に一つのドット表示部Ｄ４、右側に２つのドット表示部Ｄ５，Ｄ６が形成される。
【００２５】
Ｘ電極２３が第１電極部分３１ａ，３２ａおよび第２電極部分３３ｃ，３４ｃとそれぞれクロスすることにより、上記スペースＳの不灯部の両側にそれぞれ２つのドット表示部Ｄ７，Ｄ８；Ｄ９，Ｄ１０が形成される。また、Ｘ電極２４が第１電極部分３１ａ，３２ａおよび第２電極部分３４ｃとそれぞれクロスすることにより、ライン表示部Ｌ３の左側に２つのドット表示部Ｄ１１，Ｄ１２、右側に一つのドット表示部Ｄ１３が形成される。
【００２６】
さらに、Ｘ電極２５が第１電極部分３１ａ，３２ａ，３３ａとそれぞれクロスすることにより、ライン表示部Ｌ４の左側に３つのドット表示部Ｄ１４，Ｄ１５，Ｄ１６が形成される。このようにして引き回し配線部分に、ライン表示部とその両側にドット表示部が形成されるため、この引き回し配線部分を利用して各種の表示を行なうこともできる。
【００２７】
なお、この引き回し配線部分に表示を行なわない場合には、いずれか一方の透明電極基板側にブラックマスクを設けて、引き回し配線部分を非表示部とすればよい。
【００２８】
本発明によれば、表示部Ａ，Ｂが水平方向および垂直方向のいずれにおいても同列でない異なる位置に配置されている場合でも、上記実施例のようにＹ電極を表示部Ａ，Ｂに共通して用いることができる。したがって、電極の端子本数を約半分程度に減らすことができる。また、省電力化も可能となる。
【００２９】
本発明は上記実施例に限定されるべきでない。まず、上記実施例では、Ｙ電極の全部をクランク形状としているが、本発明においては、必要とされるＹ電極のみがクランク形状とされていればよい。また、Ｘ電極群側の電極をクランク形状としてもよいことは勿論である。
【００３０】
また、表示部Ａと表示部Ｂのドットピッチを変えることも可能である。例えば、表示部Ａの幅（図１において、左辺ＡＬと右辺ＡＲとの間）が表示部Ｂの幅（図１において、左辺ＢＬと右辺ＢＲとの間）よりも大きいような場合には、上記引き回し配線部分で、その線間ピッチを狭めた上で表示部Ｂ側に引き込めばよい。
【００３１】
上記のように表示部Ａの幅が表示部Ｂの幅よりも大きい場合の別の例として、表示部Ａに必要なＹ電極が例えば１００本で、表示部Ｂに必要なＹ電極が例えば５０本であるような場合には、表示部Ａから引き回し配線部を介して表示部Ｂ内に引き込まれる１００本の電極の内、５０本のみを表示用として用いればよい。その他、本明細書に記載のない事項であっても、当業者にとって容易に導き出される変形例はすべて本発明に含まれる。
【００３２】
【発明の効果】
以上説明したように、本発明によれば、ドットマトリクス表示型の液晶表示パネルにおいて、Ｘ電極群とＹ電極群の少なくとも一方の電極群内の所定の電極を、一部分に他方の電極群と平行に延在する引き回し配線部を有するクランク形状としたことにより、表示画面内に複数の表示部を有し、特にその各表示部が対角的にずらされている場合、Ｘ電極群もしくはＹ電極群のいずれか一方をその各表示部に対して共用させることができる。
【図面の簡単な説明】
【図１】本発明による液晶表示パネルの一実施例を模式的に示した平面図。
【図２】図１のII−II線に沿った模式的断面図。
【図３】上記実施例の引き回し配線部分におけるＹ電極側配線パターンの説明図。
【図４】上記実施例の引き回し配線部分におけるＸ電極側配線パターンの説明図。
【図５】上記Ｙ電極側配線パターンと上記Ｙ電極側配線パターンとを重ね合わせた合成図。
【図６】従来例としての液晶表示パネルを模式的に示した平面図。
【符号の説明】
１０  液晶表示パネル
１２，１３  透明電極基板
２０  Ｘ電極群
３０  Ｙ電極群
３１〜３４  Ｙ電極
３１ａ〜３４ａ  第１電極部分
３１ｂ〜３４ｂ  第２電極部分
３１ｃ〜３４ｃ  引き回し配線部
Ｌ１〜Ｌ４  ライン表示部
Ｄ１〜Ｄ１６  ドット表示部
【図１】
0004379839.tif 000002
【図２】
0004379839.tif 000003
【図３】
0004379839.tif 000004
【図４】
0004379839.tif 000005
【図５】
0004379839.tif 000006
【図６】
0004379839.tif 000007